(57)【特許請求の範囲】
【請求項１】
付着成分が付着した廃蛍光ランプの破砕産物である破砕ガラス片に対し、水中で超音波を照射して、該破砕ガラス片から前記付着成分を剥離させ、その後、水簸機構における水の上昇流により、該破砕ガラス片からの付着成分の剥離物を水中において浮上させ、該剥離物と該破砕ガラスとの分離を達成する廃蛍光ランプのリサイクル方法であって、
前記破砕ガラス片から剥離した前記剥離物と該破砕ガラス片とを、前記超音波照射領域における水中での剥離状態を維持しつつ、該超音波照射領域における水中から直接に、前記水簸機構の上昇流領域に移行させる、
ことを特徴とする廃蛍光ランプのリサイクル方法。
【請求項２】
請求項１において、
少なくとも前記超音波照射領域において、前記破砕ガラス片の供給側から前記水簸機構の上昇流に近づくに従って下方側に向かうように傾斜されて、該超音波照射領域における水を支える傾斜路面を用意し、
前記傾斜路面側から該傾斜路面上の水に向けて超音波を照射する、
ことを特徴とする廃蛍光ランプのリサイクル方法。
【請求項３】
請求項１において、
分離回収装置として、入口から出口に向かうに従って下方側に向かうように傾斜する第１管路と、該第１管路に該第１管路の途中において接続されて鉛直上方に延びる第２管路と、を備えるものを用意し、
前記第１管路の内面下部のうち、前記第２管路の下端開口が臨む領域から水を該第１管路内に供給し続けることにより、該第１管路の入口及び出口から水が溢れ出るようにした状態の下で、該第１管路内を水で充満させると共に、該第２管路内に前記水簸機構の上昇流を形成し、
その上で、前記第１管路の入口から前記破砕ガラス片を投入すると共に、該第１管路内に投入された該破砕ガラス片に対して、該水簸機構の上昇流領域よりも該第１管路の入口側で超音波照射を行って、該破砕ガラス片から前記剥離物を剥離させた状態にしつつ、該剥離物及び該破砕ガラス片を、該第１管路内における前記第２管路の下端開口が臨む領域にまで至らせる、
ことを特徴とする廃蛍光ランプのリサイクル方法。
【請求項４】
付着成分が付着した廃蛍光ランプの破砕産物である破砕ガラス片に対し、水中で超音波を照射して、該破砕ガラス片から前記付着成分を剥離させ、その後、水簸機構における水の上昇流により、該破砕ガラス片からの付着成分の剥離物を水中において浮上させ、該剥離物と該破砕ガラスとの分離を達成する廃蛍光ランプのリサイクル装置であって、
横方向に延ばされて、一端が前記破砕ガラス片を投入するための入口とされ他端が該破砕ガラス片を排出するための出口とされる第１管路と、該第１管路に該第１管路の延び方向の途中において接続されて鉛直上方に延びる第２管路と、が備えられ、
前記第１管路内下部のうち、前記第２管路の下端開口が臨む領域から、水を上方に向けて供給し続けて、該第１管路内を水で充満させると共に、前記第２管路内に前記水簸機構の上昇流を形成する水供給管が設けられ、
前記第１管路に、前記第２管路よりも該第１管路の入口側において、超音波を発振する超音波発振素子が設けられている、
ことを特徴とする廃蛍光ランプのリサイクル装置。
【請求項５】
請求項４において、
前記第１管路が、該第１管路の入口から出口に向かうに従って下方側に向かうように傾斜され、
前記超音波発振素子が前記第１管路の下部外面に設けられている、
ことを特徴とする廃蛍光ランプのリサイクル装置。
【請求項６】
請求項５において、
前記水供給管は、該水供給管から前記第１管路内に供給し続けることにより、前記第１管路の入口及び出口から水が溢れ出るようにした状態の下で、該第１管路内を水で充満させると共に、前記第２管路内に前記水簸機構の上昇流を形成するように設定されている、
ことを特徴とする廃蛍光ランプのリサイクル装置。
【発明の詳細な説明】
【技術分野】
【０００１】
本発明は、廃蛍光ランプのリサイクル方法及び装置に関するものである。
【背景技術】
【０００２】
現在、廃蛍光ランプのリサイクル対象は直管形や環形である。これらの蛍光ランプは形
状が統一されているため、コンベア上に並べられ、両端（直管）あるいは円周の一部（丸
管）の口金部分を自動的に切断することでガラス部を回収してきた。
【０００３】
ガラスはソーダ石灰ガラスであるが、口金付近だけは鉛ガラスを使用しており、鉛ガラ
スは口金部と共に回収される。切断後は筒状のガラス開口部より強く空気を吹き込み、ガ
ラス内壁に付着した蛍光体並びに水銀を空気と共に回収する。
【０００４】
丸管の場合、製造時加熱して管状に整形するため直管に比べ蛍光体のガラスへの固着力
が強く、空気と共にショット剤を吹き込むこともある。
【０００５】
また、破砕されたガラス片からの蛍光体および水銀の回収方法についても、従来、いくつか提案されている。例えば、乾式処理では、ボールミル等によりガラス表面に付着した
蛍光体等を剥離して篩い分けをする方法(特許文献１参照)、気体と固体粒子のプラグ流よ
りなるブラスト流により蛍光体等を剥離する方法(特許文献２参照)が提案されている。
【０００６】
さらに、破砕ガラスを研磨タンク内で振動させながら蛍光体等を剥離する方法(特許文
献３参照)、回転密閉容器内において、ブラシにより(特許文献４参照)、あるいは隔壁と
掻き上げ板により蛍光体等を剥離する方法(特許文献５)等が提案されているが、剥離が不
完全である。
【０００７】
また、湿式法においては、酸などの薬液によりガラスを洗浄して水銀等を回収する方法
(特許文献６、特許文献７参照など)がある。
【０００８】
一方、近年、急増しているコンパクト形や電球形蛍光ランプは、形状の種類が極めて多く自動処理ができないため、口金切断機への装着を１つずつ手で行っているのが現状である。また、切断後の開口部が１カ所のため、エアブローによる蛍光体・水銀の回収もできない。
【０００９】
本発明者らは、先願において特願２００７−２４３５６２（廃蛍光ランプの選択破砕方法及び装置）において、ガラス部を選択破砕し、口金部と分離する技術を提案している。この方法でガラス部が選択的に破砕されても、現在提案されている乾式法による破壊ガラスからの蛍光体回収では、蛍光体の回収率が不完全となる。
【００１０】
一方、湿式法では高い蛍光体の回収率を達成し得るが、薬液を使用したり、温度を調整したりなどが必要となる。
【００１１】
【特許文献１】特開平１１−３００３２２号公報
【特許文献２】特開２００２−１００２９３号公報
【特許文献３】特開２００５−２３０６６０号公報
【特許文献４】特開２００１−２８６８２８号公報
【特許文献５】特開２００６−１０２６５３号公報
【特許文献６】特開２００３−４５３３６号公報
【特許文献７】特開２００４−３５２９００号公報
【発明の開示】
【発明が解決しようとする課題】
【００１２】
上記のとおり、破砕ガラスから水銀や蛍光体を回収する方法はいくつかの方法が提案されている。しかし、従来の方法では、それぞれ一長一短があり、目的に応じた組み合わせが必要である。
【００１３】
本発明では、蛍光体等のガラス付着成分を迅速かつ高収率に回収するとともに、ガラスの表面の洗浄を促進させる廃蛍光ランプのリサイクル方法及び装置を提供することを目的とする。
【課題を解決するための手段】
【００１４】
本発明（請求項１に係る発明）は、上記目的を達成するために、
付着成分が付着した廃蛍光ランプの破砕産物である破砕ガラス片に対し、水中で超音波を照射して、該破砕ガラス片から前記付着成分を剥離させ、その後、水簸機構における水の上昇流により、該破砕ガラス片からの付着成分の剥離物を水中において浮上させ、該剥離物と該破砕ガラスとの分離を達成する廃蛍光ランプのリサイクル方法であって、
前記破砕ガラス片から剥離した前記剥離物と該破砕ガラス片とを、前記超音波照射領域における水中での剥離状態を維持しつつ、該超音波照射領域における水中から直接に、前記水簸機構の上昇流領域に移行させる構成としてある。この請求項１の好ましい態様としては、請求項２，３の記載のとおりである。
【００１５】
本発明（請求項４に係る発明）は、上記目的を達成するために、
付着成分が付着した廃蛍光ランプの破砕産物である破砕ガラス片に対し、水中で超音波を照射して、該破砕ガラス片から前記付着成分を剥離させ、その後、水簸機構における水の上昇流により、該破砕ガラス片からの付着成分の剥離物を水中において浮上させ、該剥離物と該破砕ガラスとの分離を達成する廃蛍光ランプのリサイクル装置であって、
横方向に延ばされて、一端が前記破砕ガラス片を投入するための入口とされ他端が該破砕ガラス片を排出するための出口とされる第１管路と、該第１管路に該第１管路の延び方向の途中において接続されて鉛直上方に延びる第２管路と、が備えられ、
前記第１管路内下部のうち、前記第２管路の下端開口が臨む領域から、水を上方に向けて供給し続けて、該第１管路内を水で充満させると共に、前記第２管路内に前記水簸機構の上昇流を形成する水供給管が設けられ、
前記第１管路に、前記第２管路よりも該第１管路の入口側において、超音波を発振する超音波発振素子が設けられている構成としてある。この請求項４の好ましい態様としては、請求項５以下の記載のとおりである。
【発明の効果】
【００１６】
本発明による効果は、次のとおりである。水で満たされたカラム内で超音波を照射するとともに、下方から水の上昇流を付与する水簸機能(ガラス片の大きさに応じ、例えば流速0.08〜0.24m/s)を付加することにより、蛍光体等のガラス付着成分を迅速かつ高収率に回収することができる。
また、破壊ガラスからの蛍光体・水銀の回収方法については、廃水処理が不要であることから簡便性という点では乾式法が有利であるが、粉体の制御のしやすさ蛍光体等の回収の精度では湿式法が有利である。
【００１７】
本発明では湿式法において、水で満たされたカラム内で超音波を照射するとともに、下方から水の上昇流を付与する水簸機能(ガラス片の大きさに応じ、例えば流速0.08〜0.24m/s)を付加することにより、超音波によるガラス−蛍光体等剥離後、水簸（すいひ）の水流により剥離の促進、蛍光体のガラスへ再付着を防止、ガラスの洗浄効果を実現するものである。
【００１８】
単に超音波を照射する方法は既に提案されている(特願2006-205138参照)が、水簸機能追加による相乗効果により、蛍光体剥離促進、蛍光体再付着防止、ガラス洗浄が短時間に達成され、ガラスからの蛍光粉等の剥離はもとより、ガラスと蛍光粉等の分離、ガラスの洗浄を、連続的かつ5〜15分の洗浄層滞留時間で達成することが可能であり、装置のコンパクト化などが可能となる。
【発明を実施するための最良の形態】
【００１９】
本発明に係る廃蛍光ランプの蛍光体又は水銀の分離回収方法及び装置を実施するための
最良の形態を実施例に基づいて図面を参照して、以下に説明する。
【００２０】
（実施例）
本発明の蛍光体又は水銀の分離回収装置１は、図１に示すように、入口から出口に向かって下方に傾斜する第１管路としての傾斜管路２と、傾斜管路２の途中である分岐部３から上方に連通起立した第２管路としての垂直管路４とを備え、その全体形状は、略逆Ｔ字型をしている。
【００２１】
分岐部３及び垂直管路４は、後記する上昇水流で、廃蛍光ランプの破砕物である破砕ガラス片５（図１中の「蛍光付着ガラス」）を水中内であおり上げて、破砕ガラス片５から蛍光体６（図１中の「蛍光粉」）や水銀を剥離する水簸機構７を構成する。垂直管路４の上端部には、水が流れ出る溢流孔８が形成されている。
【００２２】
傾斜管路２の入口９側である上流部の下面（傾斜路面）には、超音波発振子１０が設けられており、上流部内は、洗浄槽として機能する。入口９側上流部の下流側に隣接し、傾斜管路２内の底部であって、垂直管路４の直下の分岐部３の位置に、水供給管１１が配設されている。  
【００２３】
以上の構成から成る分離回収装置１を利用して、廃蛍光ランプの破砕物に付着した蛍光体６又は水銀を分離回収する方法は次のとおりである。
【００２４】
水供給管１１から水を分離回収装置１内に供給を開始すると、傾斜管路２内に水が充満するとともに、垂直管路４内では、上昇水流が形成される。そして、超音波発振子１０の動作を開始すると、入口９側上流部内の水中内で超音波振動が生じる。
【００２５】
今、廃蛍光ランプを破砕機で破砕して得られる破砕産物を傾斜管路２の入口９から供給する。この実施例では、破砕産物として、未だ蛍光体６（水銀でもよいが、ここでは蛍光体６が付着した場合で説明する。）等が付着した廃蛍光ランプの破砕された破砕ガラス片５を、傾斜管路２の入口９から供給する。
【００２６】
すると、破砕ガラス片５は、入口９側上流部内で超音波振動が付与され（水という媒体を介して超音波振動が付与され）、水による洗浄作用に加え、破砕ガラス片５に作用する超音波振動によって、破砕ガラス片５を洗浄するとともに、蛍光体６は破砕ガラス片５表面から剥離し、蛍光体６の分離を行う。
【００２７】
このようにして蛍光体６が分離された破砕ガラス片５及び分離された蛍光体６は、分岐部３に送られる。この分岐部３において、水簸機構７による水供給管１１から供給される上昇水流の作用を受け、さらに、破砕ガラス片５表面から蛍光体６の剥離はより促進される。そして、破砕ガラス片５の多くは、分岐部３から傾斜管路２の下流に流れ、その出口１２から排出される。
【００２８】
しかし、細かい破砕ガラス片５及び分離された蛍光体６は、水簸機構７において、水供給管１１から供給される上昇水流の作用を受けあおり上げられ浮上する。この過程でも、細かい破砕ガラス片５表面から蛍光体６の剥離がより促進される。
【００２９】
そして、分離された蛍光体６は、水簸機構７において、上昇水流によって垂直管路４内をさらに浮上し、溢流孔８から溢流とともに排出される。垂直管路４内で蛍光体６が分離された細かい破砕ガラス片５は、その重量により垂直管路４内を沈下し、傾斜管路２の下流に流れ、その出口１２から排出される。
【００３０】
このようにして、廃蛍光ランプの破砕ガラス片５に付着した蛍光体６を、効果的に分離して取り出すことができる。そして、分離して得られた蛍光体６及び洗浄ガラス片１３は、それぞれリサイクル使用に供することができる。
【００３１】
なお、本発明で処理する破砕ガラス片５を得るための廃蛍光ランプの破砕機としては、特願２００７−２４３５６２（廃蛍光ランプの選択破砕方法及び装置）で本発明者らがすでに提案している廃蛍光ランプの破砕機を使用してもよい。
【００３２】
以上、本発明に係る廃蛍光ランプのリサイクル方法及び装置の最良の形態を実施例に基づいて説明したが、本発明はこのような実施例に限定されることなく、特許請求の範囲記載の技術的事項の範囲内で、いろいろな実施例があることは言うまでもない。
【産業上の利用可能性】
【００３３】
本発明は、以上のような構成であるから、蛍光体や水銀等が付着した廃蛍光ランプ等の
ガラスのリサイクル技術分野におけるリサイクルプラントに最適である。
【図面の簡単な説明】
【００３４】
【図１】本発明に係る廃蛍光ランプのリサイクル方法及び装置の実施例を説明する図    である。
【符号の説明】
【００３５】
１  分離回収装置
２  傾斜管路（第１管路）
３  分岐部
４  垂直管路（第２管路）
５  破砕ガラス片（蛍光付着ガラス）
６  蛍光体（蛍光粉）
７  水簸機構
８  溢流孔
９  傾斜管路の入口
１０  超音波発振子
１１  水供給管
１２  傾斜管路の出口
１３  洗浄ガラス片
【図１】
0005051533.tif 000002